(57)【要約】  本開示の様々な態様は、一般に、ワイヤレス通信に関する。いくつかの態様では、ユーザ機器(UE)は、グループ電力制御ダウンリンク制御情報(DCI)に少なくとも部分的に基づいて、UEに関連付けられた送信電力制御(TPC)コマンドを識別することと、TPCコマンドに関連付けられたループインデックスを決定することであって、ループインデックスが、TPCコマンドに対する、複数の電力制御ループのうちの1つの電力制御ループを識別する、決定することとを行い得る。いくつかの態様では、UEは、アップリンク通信を送信することに関連してTPCコマンドを適用することであって、グループ電力制御DCIを受信することと、TPCコマンドを適用することとの間の時間ギャップが、UEに関連付けられた能力値、またはUEにシグナリングされた遅延値に少なくとも部分的に基づく、適用することを行い得る。多数の他の態様が提供される。
2021520108.tif 000002
【特許請求の範囲】
【請求項１】
ユーザ機器(UE)によって実行されるワイヤレス通信の方法であって、
グループ電力制御ダウンリンク制御情報(DCI)に少なくとも部分的に基づいて、前記UEに関連付けられた送信電力制御(TPC)コマンドを識別するステップと、
前記TPCコマンドに関連付けられたループインデックスを決定するステップであって、
前記ループインデックスが、前記TPCコマンドに対する、複数の電力制御ループのうちの1つの電力制御ループを識別する、ステップと
を備える方法。
【請求項２】
前記ループインデックスが、前記グループ電力制御DCIに含まれる単一のTPCフィールドに関連付けられた、前記グループ電力制御DCIに含まれるビットに少なくとも部分的に基づいて決定され、
前記単一のTPCフィールドが、前記UEに関連付けられた前記TPCコマンドを含む、
請求項1に記載の方法。
【請求項３】
前記ループインデックスが、前記UEに関連付けられた無線ネットワーク一時識別子(RNTI)値に少なくとも部分的に基づいて決定される、請求項1に記載の方法。
【請求項４】
前記RNTI値が、
物理アップリンク共有チャネル(PUSCH)送信、
物理アップリンク制御チャネル(PUCCH)送信、または
サウンディング基準信号(SRS)送信
のうちの少なくとも1つに関連付けられる、請求項3に記載の方法。
【請求項５】
前記ループインデックスが、前記RNTI値が奇数のRNTI値であるかまたは偶数のRNTI値であるかに少なくとも部分的に基づいて決定される、請求項3に記載の方法。
【請求項６】
前記ループインデックスが、前記RNTI値が含まれる、値の複数の範囲のうちの値の1つの範囲に少なくとも部分的に基づいて決定される、請求項3に記載の方法。
【請求項７】
前記ループインデックスが、前記ループインデックスが前記UEにシグナリングされることに少なくとも部分的に基づいて決定され、
前記ループインデックスが、前記UEにシグナリングされる、前記TPCコマンドに関連付けられたTPCインデックスに関連付けられる、
請求項1に記載の方法。
【請求項８】
前記ループインデックスおよび前記TPCインデックスが、無線リソース制御(RRC)シグナリングを介して前記UEにシグナリングされる、請求項7に記載の方法。
【請求項９】
前記ループインデックスが、前記TPCインデックスが奇数の値であるかまたは偶数の値であるかに少なくとも部分的に基づいて決定される、請求項7に記載の方法。
【請求項１０】
前記ループインデックスが、前記TPCインデックスが含まれる、値の複数の範囲のうちの値の1つの範囲に少なくとも部分的に基づいて決定される、請求項7に記載の方法。
【請求項１１】
前記ループインデックスが、前記グループ電力制御DCIに含まれる複数のTPCフィールドに関連付けられた、前記グループ電力制御DCIに含まれるビットに少なくとも部分的に基づいて決定され、
前記複数のTPCフィールドが、前記UEに関連付けられた前記TPCコマンドを含むTPCフィールドを含む、
請求項1に記載の方法。
【請求項１２】
前記ループインデックスが、前記TPCコマンドが前記複数の電力制御ループの各々に適用されることを示す情報に少なくとも部分的に基づいて決定される、請求項1に記載の方法。
【請求項１３】
前記電力制御ループが、DCIを含まない半永続的アップリンクチャネルに関連して適用される、請求項1に記載の方法。
【請求項１４】
前記半永続的アップリンクチャネルが、
半永続的スケジューリング(SPS)アップリンク通信、
タイプ2構成済み許可通信、
周期的なチャネル状態情報(CSI)報告、または
周期的なサウンディング基準信号(SRS)
のうちの少なくとも1つを送信することに関連付けられる、請求項13に記載の方法。
【請求項１５】
ワイヤレス通信のためのユーザ機器(UE)であって、
メモリと、
前記メモリに動作可能に結合された1つまたは複数のプロセッサとを備え、前記メモリおよび前記1つまたは複数のプロセッサが、
グループ電力制御ダウンリンク制御情報(DCI)に少なくとも部分的に基づいて、前記UEに関連付けられた送信電力制御(TPC)コマンドを識別することと、
前記TPCコマンドに関連付けられたループインデックスを決定することであって、
前記ループインデックスが、前記TPCコマンドに対する、複数の電力制御ループのうちの1つの電力制御ループを識別する、決定することと
を行うように構成される、ユーザ機器。
【請求項１６】
前記ループインデックスが、前記グループ電力制御DCIに含まれる単一のTPCフィールドに関連付けられた、前記グループ電力制御DCIに含まれるビットに少なくとも部分的に基づいて決定され、
前記単一のTPCフィールドが、前記UEに関連付けられた前記TPCコマンドを含む、
請求項15に記載のユーザ機器。
【請求項１７】
前記ループインデックスが、前記UEに関連付けられた無線ネットワーク一時識別子(RNTI)値に少なくとも部分的に基づいて決定される、請求項15に記載のユーザ機器。
【請求項１８】
前記RNTI値が、
物理アップリンク共有チャネル(PUSCH)送信、
物理アップリンク制御チャネル(PUCCH)送信、または
サウンディング基準信号(SRS)送信
のうちの少なくとも1つに関連付けられる、請求項17に記載のユーザ機器。
【請求項１９】
前記ループインデックスが、前記RNTI値が奇数のRNTI値であるかまたは偶数のRNTI値であるかに少なくとも部分的に基づいて決定される、請求項17に記載のユーザ機器。
【請求項２０】
前記ループインデックスが、前記RNTI値が含まれる、値の複数の範囲のうちの値の1つの範囲に少なくとも部分的に基づいて決定される、請求項17に記載のユーザ機器。
【請求項２１】
前記ループインデックスが、前記ループインデックスが前記UEにシグナリングされることに少なくとも部分的に基づいて決定され、
前記ループインデックスが、前記UEにシグナリングされる、前記TPCコマンドに関連付けられたTPCインデックスに関連付けられる、
請求項15に記載のユーザ機器。
【請求項２２】
前記ループインデックスが、前記TPCインデックスが奇数の値であるかまたは偶数の値であるかに少なくとも部分的に基づいて決定される、請求項21に記載のユーザ機器。
【請求項２３】
前記ループインデックスが、前記TPCインデックスが含まれる、値の複数の範囲のうちの値の1つの範囲に少なくとも部分的に基づいて決定される、請求項21に記載のユーザ機器。
【請求項２４】
前記ループインデックスが、前記グループ電力制御DCIに含まれる複数のTPCフィールドに関連付けられた、前記グループ電力制御DCIに含まれるビットに少なくとも部分的に基づいて決定され、
前記複数のTPCフィールドが、前記UEに関連付けられた前記TPCコマンドを含むTPCフィールドを含む、
請求項15に記載のユーザ機器。
【請求項２５】
前記ループインデックスが、前記TPCコマンドが前記複数の電力制御ループの各々に適用されることを示す情報に少なくとも部分的に基づいて決定される、請求項15に記載のユーザ機器。
【請求項２６】
前記電力制御ループが、DCIを含まない半永続的アップリンクチャネルに関連して適用される、請求項15に記載のユーザ機器。
【請求項２７】
ワイヤレス通信のための装置であって、
グループ電力制御ダウンリンク制御情報(DCI)に少なくとも部分的に基づいて、前記装置に関連付けられた送信電力制御(TPC)コマンドを識別するための手段と、
前記TPCコマンドに関連付けられたループインデックスを決定するための手段であって、
前記ループインデックスが、前記TPCコマンドに対する、複数の電力制御ループのうちの1つの電力制御ループを識別する、手段と
を備える装置。
【請求項２８】
前記ループインデックスが、前記グループ電力制御DCIに含まれる単一のTPCフィールドに関連付けられた、前記グループ電力制御DCIに含まれるビットに少なくとも部分的に基づいて決定され、
前記単一のTPCフィールドが、前記装置に関連付けられた前記TPCコマンドを含む、
請求項27に記載の装置。
【請求項２９】
ワイヤレス通信のための命令を記憶する非一時的コンピュータ可読記憶媒体であって、前記命令が、
ユーザ機器(UE)の1つまたは複数のプロセッサによって実行されると、前記1つまたは複数のプロセッサに、
グループ電力制御ダウンリンク制御情報(DCI)に少なくとも部分的に基づいて、前記UEに関連付けられた送信電力制御(TPC)コマンドを識別することと、
前記TPCコマンドに関連付けられたループインデックスを決定することであって、
前記ループインデックスが、前記TPCコマンドに対する、複数の電力制御ループのうちの1つの電力制御ループを識別する、決定することと
を行わせる1つまたは複数の命令を備える、非一時的コンピュータ可読記憶媒体。
【請求項３０】
前記ループインデックスが、前記グループ電力制御DCIに含まれる単一のTPCフィールドに関連付けられた、前記グループ電力制御DCIに含まれるビットに少なくとも部分的に基づいて決定され、
前記単一のTPCフィールドが、前記UEに関連付けられた前記TPCコマンドを含む、
請求項29に記載の非一時的コンピュータ可読記憶媒体。
【発明の詳細な説明】
【技術分野】
【０００１】
米国特許法第119条に基づく関連出願の相互参照
本出願は、参照により本明細書に明確に組み込まれる、「TECHNIQUES AND APPARATUSES FOR LOOP INDEX AND TIME GAP FOR GROUP POWER CONTROL」と題する2018年4月5日に出願された米国仮出願第62/653,439号、および「LOOP INDEX AND TIME GAP FOR GROUP POWER CONTROL」と題する2019年3月29日に出願された米国非仮出願第16/370,405号の優先権を主張する。
【０００２】
本開示の態様は、一般に、ワイヤレス通信に関し、より詳細には、グループ電力制御のためのループインデックスおよび時間ギャップのための技法および装置に関する。
【背景技術】
【０００３】
ワイヤレス通信システムは、テレフォニー、ビデオ、データ、メッセージング、およびブロードキャストなどの様々な電気通信サービスを提供するために広く展開されている。典型的なワイヤレス通信システムは、利用可能なシステムリソース(たとえば、帯域幅、送信電力など)を共有することによって複数のユーザとの通信をサポートすることが可能な多元接続技術を用い得る。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、およびロングタームエボリューション(LTE)を含む。LTE/LTEアドバンストは、第3世代パートナーシッププロジェクト(3GPP)によって公表されたユニバーサルモバイルテレコミュニケーションズシステム(UMTS)モバイル規格に対する拡張のセットである。
【０００４】
ワイヤレス通信ネットワークは、いくつかのユーザ機器(UE)のための通信をサポートすることができるいくつかの基地局(BS)を含み得る。ユーザ機器(UE)は、ダウンリンクおよびアップリンクを介して基地局(BS)と通信し得る。ダウンリンク(または順方向リンク)は、BSからUEへの通信リンクを指し、アップリンク(または逆方向リンク)は、UEからBSへの通信リンクを指す。本明細書でより詳細に説明するように、BSは、ノードB、gNB、アクセスポイント(AP)、無線ヘッド、送信受信ポイント(TRP)、ニューラジオ(NR)BS、5GノードBなどと呼ばれることがある。
【０００５】
上記の多元接続技術は、異なるユーザ機器が都市、国家、地域、さらには地球規模で通信することを可能にする共通プロトコルを提供するために、様々な電気通信規格において採用されている。5Gと呼ばれることもあるニューラジオ(NR)は、第3世代パートナーシッププロジェクト(3GPP)によって公表されたLTEモバイル規格に対する拡張のセットである。NRは、スペクトル効率を改善することと、コストを下げることと、サービスを改善することと、新しいスペクトルを利用することと、ダウンリンク(DL)上でサイクリックプレフィックス(CP)を有する直交周波数分割多重化(OFDM)(CP-OFDM)を使用し、アップリンク(UL)上でCP-OFDMおよび/またはSC-FDM(たとえば、離散フーリエ変換拡散OFDM(DFT-s-OFDM)としても知られている)を使用し、ならびにビームフォーミング、多入力多出力(MIMO)アンテナ技術、およびキャリアアグリゲーションをサポートする、他のオープン規格とより良く統合することとによって、モバイルブロードバンドインターネットアクセスをより良くサポートするように設計されている。しかしながら、モバイルブロードバンドアクセスに対する需要が増大し続けるにつれて、LTE技術およびNR技術におけるさらなる改善が必要である。好ましくは、これらの改善は、これらの技術を用いる他の多元接続技術および電気通信規格に適用可能であるべきである。
【発明の概要】
【課題を解決するための手段】
【０００６】
いくつかの態様では、ユーザ機器(UE)によって実行されるワイヤレス通信の方法は、グループ電力制御ダウンリンク制御情報(DCI)に少なくとも部分的に基づいて、UEに関連付けられた送信電力制御(TPC)コマンドを識別するステップと、TPCコマンドに関連付けられたループインデックスを決定するステップであって、ループインデックスが、TPCコマンドに対する、複数の電力制御ループのうちの1つの電力制御ループを識別する、ステップとを含み得る。
【０００７】
いくつかの態様では、ワイヤレス通信のためのUEは、メモリと、メモリに動作可能に結合された1つまたは複数のプロセッサとを含み得る。メモリおよび1つまたは複数のプロセッサは、グループ電力制御DCIに少なくとも部分的に基づいて、UEに関連付けられたTPCコマンドを識別することと、TPCコマンドに関連付けられたループインデックスを決定することであって、ループインデックスが、TPCコマンドに対する、複数の電力制御ループのうちの1つの電力制御ループを識別する、決定することとを行うように構成され得る。
【０００８】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、グループ電力制御DCIに少なくとも部分的に基づいて、UEに関連付けられたTPCコマンドを識別することと、TPCコマンドに関連付けられたループインデックスを決定することであって、ループインデックスが、TPCコマンドに対する、複数の電力制御ループのうちの1つの電力制御ループを識別する、決定することとを行わせ得る。
【０００９】
いくつかの態様では、ワイヤレス通信のための装置は、グループ電力制御DCIに少なくとも部分的に基づいて、装置に関連付けられたTPCコマンドを識別するための手段と、TPCコマンドに関連付けられたループインデックスを決定するための手段であって、ループインデックスが、TPCコマンドに対する、複数の電力制御ループのうちの1つの電力制御ループを識別する、手段とを含み得る。
【００１０】
いくつかの態様では、UEによって実行されるワイヤレス通信の方法は、グループ電力制御DCIを受信するステップと、アップリンク通信を送信することに関連して、グループ電力制御DCIによって識別されたTPCコマンドを適用するステップであって、グループ電力制御DCIを受信することと、TPCコマンドを適用することとの間の時間ギャップが、UEに関連付けられた能力値、またはUEにシグナリングされた遅延値に少なくとも部分的に基づく、ステップとを含み得る。
【００１１】
いくつかの態様では、ワイヤレス通信のためのUEは、メモリと、メモリに動作可能に結合された1つまたは複数のプロセッサとを含み得る。メモリおよび1つまたは複数のプロセッサは、グループ電力制御DCIを受信することと、アップリンク通信を送信することに関連して、グループ電力制御DCIによって識別されたTPCコマンドを適用することであって、グループ電力制御DCIを受信することと、TPCコマンドを適用することとの間の時間ギャップが、UEに関連付けられた能力値、またはUEにシグナリングされた遅延値に少なくとも部分的に基づく、適用することとを行うように構成され得る。
【００１２】
いくつかの態様では、非一時的コンピュータ可読媒体は、ワイヤレス通信のための1つまたは複数の命令を記憶し得る。1つまたは複数の命令は、UEの1つまたは複数のプロセッサによって実行されると、1つまたは複数のプロセッサに、グループ電力制御DCIを受信することと、アップリンク通信を送信することに関連して、グループ電力制御DCIによって識別されたTPCコマンドを適用することであって、グループ電力制御DCIを受信することと、TPCコマンドを適用することとの間の時間ギャップが、UEに関連付けられた能力値、またはUEにシグナリングされた遅延値に少なくとも部分的に基づく、適用することとを行わせ得る。
【００１３】
いくつかの態様では、ワイヤレス通信のための装置は、グループ電力制御DCIを受信するための手段と、アップリンク通信を送信することに関連して、グループ電力制御DCIによって識別されたTPCコマンドを適用するための手段であって、グループ電力制御DCIを受信することと、TPCコマンドを適用することとの間の時間ギャップが、装置に関連付けられた能力値、または装置にシグナリングされた遅延値に少なくとも部分的に基づく、手段とを含み得る。
【００１４】
態様は、一般に、添付の図面を参照しながら本明細書で十分に説明し、添付の図面および本明細書によって示すような、方法、装置、システム、コンピュータプログラム製品、非一時的コンピュータ可読媒体、ユーザ機器、基地局、ワイヤレス通信デバイス、および処理システムを含む。
【００１５】
上記は、以下の詳細な説明がより良く理解され得るように、本開示による例の特徴および技術的利点をかなり広範に概説している。追加の特徴および利点について、以下で説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【００１６】
本開示の上述の特徴が詳細に理解され得るように、添付の図面にその一部が示される態様を参照することによって、上記で簡潔に要約した内容について、より具体的な説明を行う場合がある。しかしながら、この説明は他の等しく効果的な態様に通じ得るので、添付の図面は、本開示のいくつかの典型的な態様のみを示し、したがって、本開示の範囲を限定するものと見なされるべきではないことに留意されたい。異なる図面における同じ参照番号は、同じまたは同様の要素を識別することがある。
【図面の簡単な説明】
【００１７】
【図１】本開示の様々な態様による、ワイヤレス通信ネットワークの一例を概念的に示すブロック図である。
【図２】本開示の様々な態様による、ワイヤレス通信ネットワークにおいてユーザ機器(UE)と通信している基地局の一例を概念的に示すブロック図である。
【図３Ａ】本開示の様々な態様による、ワイヤレス通信ネットワークにおけるフレーム構造の一例を概念的に示すブロック図である。
【図３Ｂ】本開示の様々な態様による、ワイヤレス通信ネットワークにおける例示的な同期通信階層を概念的に示すブロック図である。
【図４】本開示の様々な態様による、ノーマルサイクリックプレフィックスを有する例示的なサブフレームフォーマットを概念的に示すブロック図である。
【図５Ａ】本開示の様々な態様による、グループ電力制御ダウンリンク制御情報(DCI)において搬送される送信電力制御(TPC)コマンドに関連付けられたループインデックスを決定し、アップリンク通信を送信することに関連してTPCコマンドを適用する一例を示す図である。
【図５Ｂ】本開示の様々な態様による、グループ電力制御ダウンリンク制御情報(DCI)において搬送される送信電力制御(TPC)コマンドに関連付けられたループインデックスを決定し、アップリンク通信を送信することに関連してTPCコマンドを適用する一例を示す図である。
【図６】本開示の様々な態様による、たとえばユーザ機器によって実行される例示的なプロセスを示す図である。
【図７】本開示の様々な態様による、たとえばユーザ機器によって実行される例示的なプロセスを示す図である。
【発明を実施するための形態】
【００１８】
本開示の様々な態様について、添付の図面を参照しながら以下でより十分に説明する。しかしながら、本開示は、多くの異なる形態で具現化されてもよく、本開示全体にわたって提示される任意の特定の構造または機能に限定されるものと解釈されるべきではない。むしろ、これらの態様は、本開示が周到で完全になり、本開示の範囲を当業者に十分に伝えるように提供される。本明細書の教示に基づいて、本開示の範囲は、本開示の任意の他の態様とは無関係に実装されるにせよ、本開示の任意の他の態様と組み合わせて実装されるにせよ、本明細書で開示する本開示の任意の態様を包含するものであることを、当業者は諒解されたい。たとえば、本明細書に記載する任意の数の態様を使用して、装置が実装されてもよく、または方法が実践されてもよい。加えて、本開示の範囲は、本明細書に記載する本開示の様々な態様に加えて、またはそれらの態様以外に、他の構造、機能、または構造および機能を使用して実践されるそのような装置または方法を包含するものとする。本明細書で開示する本開示の任意の態様は、請求項の1つまたは複数の要素によって具現化され得ることを理解されたい。
【００１９】
次に、様々な装置および技法を参照しながら、電気通信システムのいくつかの態様が提示される。これらの装置および技法について、以下の詳細な説明において説明し、様々なブロック、モジュール、構成要素、回路、ステップ、プロセス、アルゴリズムなど(「要素」と総称される)によって添付の図面に示す。これらの要素は、ハードウェア、ソフトウェア、またはそれらの組合せを使用して実装され得る。そのような要素がハードウェアとして実装されるか、またはソフトウェアとして実装されるかは、特定の適用例および全体的なシステムに課される設計制約に依存する。
【００２０】
態様について、3Gおよび/または4Gワイヤレス技術に一般的に関連付けられた用語を使用して本明細書で説明する場合があるが、本開示の態様は、NR技術を含む、5G以降などの他の世代ベースの通信システムにおいて適用され得ることに留意されたい。
【００２１】
図1は、本開示の態様が実践され得るネットワーク100を示す図である。ネットワーク100は、LTEネットワーク、または5GもしくはNRネットワークなどの何らかの他のワイヤレスネットワークであってもよい。ワイヤレスネットワーク100は、いくつかのBS110(BS110a、BS110b、BS110c、およびBS110dとして示される)と、他のネットワークエンティティとを含み得る。BSは、ユーザ機器(UE)と通信するエンティティであり、基地局、NR BS、ノードB、gNB、5GノードB(NB)、アクセスポイント、送信受信ポイント(TRP)などと呼ばれることもある。各BSは、特定の地理的エリアに通信カバレージを提供し得る。3GPPでは、「セル」という用語は、この用語が使用される文脈に応じて、BSのカバレージエリアおよび/またはこのカバレージエリアにサービスするBSサブシステムを指す場合がある。
【００２２】
BSは、マクロセル、ピコセル、フェムトセル、および/または別のタイプのセルに通信カバレージを提供し得る。マクロセルは、比較的大きい地理的エリア(たとえば、半径数キロメートル)をカバーすることができ、サービスに加入しているUEによる無制限アクセスを可能にし得る。ピコセルは、比較的小さい地理的エリアをカバーすることができ、サービスに加入しているUEによる無制限アクセスを可能にし得る。フェムトセルは、比較的小さい地理的エリア(たとえば、自宅)をカバーすることができ、フェムトセルとの関連付けを有するUE(たとえば、限定加入者グループ(CSG)内のUE)による制限付きアクセスを可能にし得る。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110aは、マクロセル102aのためのマクロBSであってもよく、BS110bは、ピコセル102bのためのピコBSであってもよく、BS110cは、フェムトセル102cのためのフェムトBSであってもよい。BSは、1つまたは複数(たとえば、3つ)のセルをサポートしてもよい。「eNB」、「基地局」、「NR BS」、「gNB」、「TRP」、「AP」、「ノードB」、「5G NB」、および「セル」という用語は、本明細書では互換的に使用され得る。
【００２３】
いくつかの態様では、セルは、必ずしも固定であるとは限らないことがあり、セルの地理的エリアは、モバイルBSのロケーションに従って移動することがある。いくつかの態様では、BSは、任意の適切なトランスポートネットワークを使用して、直接物理接続、仮想ネットワークなどの様々なタイプのバックホールインターフェースを通じて、アクセスネットワーク100内で互いにおよび/または1つもしくは複数の他のBSもしくはネットワークノード(図示せず)に相互接続されてもよい。
【００２４】
ワイヤレスネットワーク100はまた、中継局を含み得る。中継局は、上流局(たとえば、BSまたはUE)からデータの送信を受信し、データの送信を下流局(たとえば、UEまたはBS)に送ることができるエンティティである。中継局はまた、他のUEのための送信を中継することができるUEであってもよい。図1に示す例では、中継局110dは、BS110aとUE120dとの間の通信を容易にするために、マクロBS110aおよびUE120dと通信し得る。中継局は、中継BS、中継基地局、リレーなどと呼ばれることもある。
【００２５】
ワイヤレスネットワーク100は、異なるタイプのBS、たとえば、マクロBS、ピコBS、フェムトBS、中継BSなどを含む異種ネットワークであってもよい。これらの異なるタイプのBSは、ワイヤレスネットワーク100において、異なる送信電力レベル、異なるカバレージエリア、および干渉に対する異なる影響を有してもよい。たとえば、マクロBSは、高い送信電力レベル(たとえば、5〜40ワット)を有し得るが、ピコBS、フェムトBS、および中継BSは、より低い送信電力レベル(たとえば、0.1〜2ワット)を有し得る。
【００２６】
ネットワークコントローラ130は、BSのセットに結合してもよく、これらのBSのための協調および制御を行ってもよい。ネットワークコントローラ130は、バックホールを介してBSと通信してもよい。BSはまた、たとえば、ワイヤレスまたはワイヤラインバックホールを介して直接または間接的に、互いと通信してもよい。
【００２７】
UE120(たとえば、120a、120b、120c)は、ワイヤレスネットワーク100全体にわたって分散されてもよく、各UEは、固定またはモバイルであってもよい。UEは、アクセス端末、端末、移動局、加入者ユニット、局などと呼ばれることもある。UEは、セルラーフォン(たとえば、スマートフォン)、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、ウェアラブルデバイス(スマートウォッチ、スマートクロージング、スマートグラス、スマートリストバンド、スマートジュエリー(たとえば、スマートリング、スマートブレスレット))、エンターテインメントデバイス(たとえば、音楽もしくはビデオデバイス、または衛星ラジオ)、車両構成要素またはセンサー、スマートメーター/センサー、産業用製造機器、全地球測位システムデバイス、またはワイヤレスもしくはワイヤード媒体を介して通信するように構成された任意の他の適切なデバイスであってもよい。
【００２８】
いくつかのUEは、マシンタイプ通信(MTC)UEまたは発展型もしくは拡張マシンタイプ通信(eMTC)UEと見なされてもよい。MTC UEおよびeMTC UEは、たとえば、基地局、別のデバイス(たとえば、リモートデバイス)、または何らかの他のエンティティと通信し得る、ロボット、ドローン、センサー、メーター、モニタ、ロケーションタグなどのリモートデバイスなどを含む。ワイヤレスノードは、たとえば、ワイヤードまたはワイヤレス通信リンクを介して、ネットワーク(たとえば、インターネットまたはセルラーネットワークなどのワイドエリアネットワーク)のための、またはネットワークへの接続性を提供し得る。いくつかのUEは、モノのインターネット(IoT)デバイスと見なされてもよく、かつ/またはNB-IoT(狭帯域モノのインターネット)デバイスとして実装されてもよい。いくつかのUEは、顧客構内機器(CPE)と見なされてもよい。UE120は、プロセッサ構成要素、メモリ構成要素などの、UE120の構成要素を収容するハウジングの内部に含められてもよい。
【００２９】
一般に、任意の数のワイヤレスネットワークが、所与の地理的エリアにおいて展開されてもよい。各ワイヤレスネットワークは、特定のRATをサポートしてもよく、1つまたは複数の周波数上で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、NRまたは5G RATネットワークが展開されてもよい。
【００３０】
いくつかの態様では、2つ以上のUE120(たとえば、UE120aおよびUE120eとして示される)は、1つまたは複数のサイドリンクチャネルを使用して(たとえば、互いと通信するための媒介として基地局110を使用せずに)直接通信してもよい。たとえば、UE120は、ピアツーピア(P2P)通信、デバイス間(D2D)通信、ビークルツーエブリシング(V2X:vehicle-to-everything)プロトコル(たとえば、車車間(V2V:vehicle-to-vehicle)プロトコル、路車間(V2I:vehicle-to-infrastructure)プロトコルなどを含み得る)、メッシュネットワークなどを使用して通信してもよい。この場合、UE120は、スケジューリング動作、リソース選択動作、および/または基地局110によって実行されるものとして本明細書の他の場所で説明する他の動作を実行してもよい。
【００３１】
上記で示したように、図1は単に一例として与えられる。他の例が可能であり、図1に関して説明したことと異なってもよい。
【００３２】
図2は、図1の基地局のうちの1つおよびUEのうちの1つであり得る、基地局110およびUE120の設計200のブロック図を示す。基地局110はT個のアンテナ234a〜234tを備えてもよく、UE120はR個のアンテナ252a〜252rを備えてもよく、ただし、一般にT≧1およびR≧1である。
【００３３】
基地局110において、送信プロセッサ220は、1つまたは複数のUEのためのデータをデータソース212から受信し、UEから受信されたチャネル品質インジケータ(CQI)に少なくとも部分的に基づいてUEごとに1つまたは複数の変調およびコーディング方式(MCS)を選択し、UEのために選択されたMCSに少なくとも部分的に基づいてUEごとにデータを処理(たとえば、符号化および変調)し、データシンボルをすべてのUEに提供してもよい。送信プロセッサ220は、(たとえば、半静的リソース区分情報(SRPI)などについての)システム情報および制御情報(たとえば、CQI要求、グラント、上位レイヤシグナリングなど)を処理し、オーバーヘッドシンボルおよび制御シンボルを与えてもよい。送信プロセッサ220はまた、基準信号(たとえば、セル固有基準信号(CRS))および同期信号(たとえば、1次同期信号(PSS)および2次同期信号(SSS))のための基準シンボルを生成してもよい。送信(TX)多入力多出力(MIMO)プロセッサ230は、該当する場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに与えてもよい。各変調器232は、(たとえば、OFDM用などに)それぞれの出力シンボルストリームを処理して、出力サンプルストリームを取得してもよい。各変調器232は、出力サンプルストリームをさらに処理(たとえば、アナログに変換、増幅、フィルタリング、およびアップコンバート)して、ダウンリンク信号を取得してもよい。変調器232a〜232tからのT個のダウンリンク信号は、それぞれ、T個のアンテナ234a〜234tを介して送信されてもよい。以下でより詳細に説明する様々な態様によれば、同期信号は、追加の情報を伝達するためにロケーション符号化を用いて生成され得る。
【００３４】
UE120において、アンテナ252a〜252rは、基地局110および/または他の基地局からダウンリンク信号を受信してもよく、それぞれ、受信信号を復調器(DEMOD)254a〜254rに与えてもよい。各復調器254は、受信信号を調整(たとえば、フィルタリング、増幅、ダウンコンバート、およびデジタル化)して、入力サンプルを取得してもよい。各復調器254は、(たとえば、OFDM用などに)入力サンプルをさらに処理して、受信シンボルを取得してもよい。MIMO検出器256は、すべてのR個の復調器254a〜254rから受信シンボルを取得し、該当する場合、受信シンボルに対してMIMO検出を実行し、検出されたシンボルを与えてもよい。受信プロセッサ258は、検出されたシンボルを処理(たとえば、復調および復号)し、UE120のための復号されたデータをデータシンク260に与え、復号された制御情報およびシステム情報をコントローラ/プロセッサ280に与えてもよい。チャネルプロセッサは、基準信号受信電力(RSRP)、受信信号強度インジケータ(RSSI)、基準信号受信品質(RSRQ)、チャネル品質インジケータ(CQI)などを決定してもよい。
【００３５】
アップリンク上では、UE120において、送信プロセッサ264は、データソース262からのデータ、およびコントローラ/プロセッサ280からの(たとえば、RSRP、RSSI、RSRQ、CQIなどを含む報告のための)制御情報を受信および処理してもよい。送信プロセッサ264はまた、1つまたは複数の基準信号のための基準シンボルを生成してもよい。送信プロセッサ264からのシンボルは、該当する場合、TX MIMOプロセッサ266によってプリコードされ、(たとえば、DFT-s-OFDM、CP-OFDM用などに)変調器254a〜254rによってさらに処理され、基地局110に送信されてもよい。基地局110において、UE120および他のUEからのアップリンク信号は、アンテナ234によって受信され、復調器232によって処理され、該当する場合、MIMO検出器236によって検出され、受信プロセッサ238によってさらに処理されて、UE120によって送られた復号されたデータおよび制御情報を取得してもよい。受信プロセッサ238は、復号されたデータをデータシンク239に与え、復号された制御情報をコントローラ/プロセッサ240に与えてもよい。基地局110は、通信ユニット244を含み、通信ユニット244を介してネットワークコントローラ130と通信し得る。ネットワークコントローラ130は、通信ユニット294、コントローラ/プロセッサ290、およびメモリ292を含み得る。
【００３６】
いくつかの態様では、UE120の1つまたは複数の構成要素は、ハウジングに含まれてもよい。基地局110のコントローラ/プロセッサ240、UE120のコントローラ/プロセッサ280、および/または図2の任意の他の構成要素は、本明細書の他の場所でより詳細に説明するように、グループ電力制御のためのループインデックスおよび時間ギャップに関連付けられた1つまたは複数の技法を実行してもよい。たとえば、基地局110のコントローラ/プロセッサ240、UE120のコントローラ/プロセッサ280、および/または図2の任意の他の構成要素は、たとえば、図6のプロセス600、図7のプロセス700、および/または本明細書で説明するような他のプロセスの動作を実行または指示してもよい。メモリ242および282は、それぞれ、基地局110およびUE120のためのデータおよびプログラムコードを記憶してもよい。スケジューラ246は、ダウンリンクおよび/またはアップリンク上のデータ送信に対してUEをスケジュールしてもよい。
【００３７】
いくつかの態様では、UE120は、グループ電力制御DCIに少なくとも部分的に基づいて、UE120に関連付けられたTPCコマンドを識別するための手段、TPCコマンドに関連付けられたループインデックスを決定するための手段であって、ループインデックスが、TPCコマンドに対する、複数の電力制御ループのうちの1つの電力制御ループを識別する、手段などを含み得る。いくつかの態様では、そのような手段は、図2に関して説明するUE120の1つまたは複数の構成要素を含み得る。
【００３８】
いくつかの態様では、UE120は、グループ電力制御DCIを受信するための手段、アップリンク通信を送信することに関連して、グループ電力制御DCIによって識別されたTPCコマンドを適用するための手段であって、グループ電力制御DCIを受信することと、TPCコマンドを適用することとの間の時間ギャップが、UE120に関連付けられた能力値、またはUE120にシグナリングされた遅延値に少なくとも部分的に基づく、手段などを含み得る。いくつかの態様では、そのような手段は、図2に関して説明するUE120の1つまたは複数の構成要素を含み得る。
【００３９】
上記で示したように、図2は単に一例として与えられる。他の例が可能であり、図2に関して説明したことと異なってもよい。
【００４０】
図3Aは、電気通信システム(たとえば、NR)におけるFDDのための例示的なフレーム構造300を示す。ダウンリンクおよびアップリンクの各々に対する送信タイムラインは、無線フレームの単位に区分されてもよい。各無線フレームは、所定の持続時間を有してもよく、(たとえば、0〜Z-1のインデックスを有する)Z個(Z≧1)のサブフレームのセットに区分されてもよい。各サブフレームは、スロットのセット(たとえば、サブフレーム当たり2個のスロットが図3Aに示されている)を含んでもよい。各スロットは、L個のシンボル期間のセットを含み得る。たとえば、各スロットは、(たとえば、図3Aに示すように)7個のシンボル期間、15個のシンボル期間などを含み得る。サブフレームが2個のスロットを含む場合、サブフレームは、2L個のシンボル期間を含んでもよく、ここで、各サブフレームにおける2L個のシンボル期間は、0〜2L-1のインデックスを割り当てられ得る。いくつかの態様では、FDD用のスケジューリング単位は、フレームベース、サブフレームベース、スロットベース、シンボルベースなどであってもよい。
【００４１】
いくつかの技法について、フレーム、サブフレーム、スロットなどに関して本明細書で説明するが、これらの技法は、5G NRにおいて「フレーム」、「サブフレーム」、「スロット」など以外の用語を使用して呼ばれることがある、他のタイプのワイヤレス通信構造に等しく適用され得る。いくつかの態様では、ワイヤレス通信構造は、ワイヤレス通信規格および/またはプロトコルによって定義される周期的な時間制限通信ユニットを指すことがある。追加または代替として、図3Aに示すものとは異なるワイヤレス通信構造の構成が使用されてもよい。
【００４２】
いくつかの電気通信(たとえば、NR)では、基地局は同期信号を送信してもよい。たとえば、基地局は、基地局によってサポートされるセルごとにダウンリンク上で1次同期信号(PSS)、2次同期信号(SSS)などを送信してもよい。PSSおよびSSSは、セルの探索および獲得のためにUEによって使用されてもよい。たとえば、PSSは、シンボルタイミングを決定するためにUEによって使用されてもよく、SSSは、基地局に関連付けられた物理セル識別子およびフレームタイミングを決定するためにUEによって使用されてもよい。基地局はまた、物理ブロードキャストチャネル(PBCH)を送信してもよい。PBCHは、UEによる初期アクセスをサポートするシステム情報などの、何らかのシステム情報を搬送してもよい。
【００４３】
いくつかの態様では、基地局は、図3Bに関して以下で説明するように、複数の同期通信(たとえば、SSブロック)を含む同期通信階層(たとえば、同期信号(SS)階層)に従ってPSS、SSS、および/またはPBCHを送信してもよい。
【００４４】
図3Bは、同期通信階層の一例である例示的なSS階層を概念的に示すブロック図である。図3Bに示すように、SS階層はSSバーストセットを含んでもよく、SSバーストセットは、複数のSSバースト(SSバースト0〜SSバーストB-1として識別される、ここで、Bは、基地局によって送信され得るSSバーストの反復の最大数である)を含んでもよい。さらに示すように、各SSバーストは、1つまたは複数のSSブロック(SSブロック0〜SSブロック(bmax_SS-1)として識別される、ここで、bmax_SS-1は、SSバーストによって搬送され得るSSブロックの最大数である)を含んでもよい。いくつかの態様では、異なるSSブロックは、異なるようにビームフォーミングされてもよい。SSバーストセットは、図3Bに示すように、Xミリ秒ごとになど、周期的にワイヤレスノードによって送信されてもよい。いくつかの態様では、SSバーストセットは、図3BではYミリ秒として示す、固定のまたは動的な長さを有してもよい。
【００４５】
図3Bに示すSSバーストセットは、同期通信セットの一例であり、本明細書で説明する技法に関して他の同期通信セットが使用されてもよい。さらに、図3Bに示すSSブロックは、同期通信の一例であり、本明細書で説明する技法に関して他の同期通信が使用されてもよい。
【００４６】
いくつかの態様では、SSブロックは、PSS、SSS、PBCH、ならびに/または他の同期信号(たとえば、3次同期信号(TSS))および/もしくは同期チャネルを搬送するリソースを含む。いくつかの態様では、複数のSSブロックがSSバーストに含まれ、PSS、SSS、および/またはPBCHは、SSバーストの各SSブロックにわたって同じであってもよい。いくつかの態様では、単一のSSブロックがSSバーストに含まれてもよい。いくつかの態様では、SSブロックは、長さが少なくとも4個のシンボル期間であってもよく、ここで、各シンボルは、PSS(たとえば、1つのシンボルを占有する)、SSS(たとえば、1つのシンボルを占有する)、および/またはPBCH(たとえば、2つのシンボルを占有する)のうちの1つまたは複数を搬送する。
【００４７】
いくつかの態様では、SSブロックのシンボルは、図3Bに示すように連続的である。いくつかの態様では、SSブロックのシンボルは、非連続的である。同様に、いくつかの態様では、SSバーストの1つまたは複数のSSブロックは、1つまたは複数のサブフレームの間に連続的な無線リソース(たとえば、連続的なシンボル期間)において送信されてもよい。追加または代替として、SSバーストの1つまたは複数のSSブロックは、非連続的な無線リソースにおいて送信されてもよい。
【００４８】
いくつかの態様では、SSバーストは、バースト期間を有してもよく、それによって、SSバーストのSSブロックは、バースト期間に従って基地局によって送信される。言い換えれば、SSブロックは、各SSバーストの間に反復されてもよい。いくつかの態様では、SSバーストセットは、バーストセット周期を有してもよく、それによって、SSバーストセットのSSバーストは、固定のバーストセット周期に従って基地局によって送信される。言い換えれば、SSバーストは、各SSバーストセットの間に反復されてもよい。
【００４９】
基地局は、いくつかのサブフレームにおいて物理ダウンリンク共有チャネル(PDSCH)上でシステム情報ブロック(SIB)などのシステム情報を送信してもよい。基地局は、サブフレームのC個のシンボル期間において物理ダウンリンク制御チャネル(PDCCH)上で制御情報/データを送信してもよく、ここで、Cはサブフレームごとに構成可能であってもよい。基地局は、各サブフレームの残りのシンボル期間においてPDSCH上でトラフィックデータおよび/または他のデータを送信してもよい。
【００５０】
上記で示したように、図3Aおよび図3Bは例として与えられる。他の例が可能であり、図3Aおよび図3Bに関して説明したことと異なってもよい。
【００５１】
図4は、ノーマルサイクリックプレフィックスを有する例示的なサブフレームフォーマット410を示す。利用可能な時間周波数リソースは、リソースブロックに区分され得る。各リソースブロックは、1つのスロットにおいてサブキャリアのセット(たとえば、12個のサブキャリア)をカバーすることができ、いくつかのリソース要素を含み得る。各リソース要素は、1つのシンボル期間において(たとえば、時間において)1つのサブキャリアをカバーすることができ、実数値または複素数値であり得る1つの変調シンボルを送るために使用され得る。いくつかの態様では、サブフレームフォーマット410は、本明細書で説明するように、PSS、SSS、PBCHなどを搬送するSSブロックの送信に使用され得る。
【００５２】
いくつかの電気通信システム(たとえば、NR)におけるFDD用のダウンリンクおよびアップリンクの各々に対して、インターレース構造が使用され得る。たとえば、0〜Q-1のインデックスを有するQ個のインターレースが定義されてもよく、ここで、Qは、4、6、8、10、または何らかの他の値に等しくてもよい。各インターレースは、Q個のフレームだけ離間したサブフレームを含んでもよい。具体的には、インターレースqは、サブフレームq、q+Q、q+2Qなどを含んでもよく、ここで、q∈{0,...,Q-1}である。
【００５３】
UEは、複数のBSのカバレージ内に位置することがある。これらのBSのうちの1つが、UEにサービスするために選択され得る。サービングBSは、受信信号強度、受信信号品質、経路損失などの様々な基準に少なくとも部分的に基づいて選択され得る。受信信号品質は、信号対雑音干渉比(SINR)もしくは基準信号受信品質(RSRQ)、または何らかの他のメトリックによって定量化され得る。UEは、UEが1つまたは複数の干渉BSからの高い干渉を観測し得る支配的干渉シナリオにおいて動作し得る。
【００５４】
本明細書で説明する例の態様はNRまたは5G技術に関連付けられ得るが、本開示の態様は、他のワイヤレス通信システムに適用可能であり得る。ニューラジオ(NR)は、(たとえば、直交周波数分割多元接続(OFDMA)ベースのエアインターフェース以外の)新しいエアインターフェースまたは(たとえば、インターネットプロトコル(IP)以外の)固定トランスポートレイヤに従って動作するように構成された無線を指すことがある。態様では、NRは、CPを有するOFDM(本明細書では、サイクリックプレフィックスOFDMまたはCP-OFDMと呼ばれる)および/またはSC-FDMをアップリンク上で利用してもよく、CP-OFDMをダウンリンク上で利用し、TDDを使用する半二重動作のサポートを含んでもよい。態様では、NRは、たとえば、CPを有するOFDM(本明細書では、CP-OFDMと呼ばれる)および/または離散フーリエ変換拡散直交周波数分割多重化(DFT-s-OFDM)をアップリンク上で利用してもよく、CP-OFDMをダウンリンク上で利用し、TDDを使用する半二重動作のサポートを含んでもよい。NRは、広帯域幅(たとえば、80メガヘルツ(MHz)を超える)を対象とする拡張モバイルブロードバンド(eMBB)サービス、高いキャリア周波数(たとえば、60ギガヘルツ(GHz))を対象とするミリ波(mmW)、後方互換性がないMTC技法を対象とするマッシブMTC(mMTC)、および/または超高信頼低レイテンシ通信(URLLC)サービスを対象とするミッションクリティカルを含んでもよい。
【００５５】
いくつかの態様では、100MHzの単一のコンポーネントキャリア帯域幅がサポートされ得る。NRリソースブロックは、0.1ミリ秒(ms)の持続時間にわたって、サブキャリア帯域幅が60または120キロヘルツ(kHz)の12個のサブキャリアにまたがり得る。各無線フレームは、10msの長さを有する40個のサブフレームを含んでもよい。したがって、各サブフレームは0.25msの長さを有し得る。各サブフレームは、データ送信のリンク方向(たとえば、DLまたはUL)を示してもよく、サブフレームごとのリンク方向は、動的に切り替えられてもよい。各サブフレームは、DL/ULデータならびにDL/UL制御データを含み得る。
【００５６】
ビームフォーミングがサポートされてもよく、ビーム方向が動的に構成されてもよい。プリコーディングを用いたMIMO送信も、サポートされ得る。DLにおけるMIMO構成は、最大8つのストリームおよびUEごとに最大2つのストリームのマルチレイヤDL送信とともに、最大8つの送信アンテナをサポートし得る。UEごとに最大2つのストリームを用いたマルチレイヤ送信がサポートされ得る。最大8つのサービングセルを用いて、複数のセルのアグリゲーションがサポートされ得る。代替として、NRは、OFDMベースのインターフェース以外の異なるエアインターフェースをサポートし得る。NRネットワークは、中央ユニットまたは分散ユニットなどのエンティティを含み得る。
【００５７】
上記で示したように、図4は一例として与えられる。他の例が可能であり、図4に関して説明したことと異なってもよい。
【００５８】
NRネットワークなどのいくつかのワイヤレスネットワークでは、UEは、所与のチャネル上でアップリンク通信(たとえば、物理アップリンク共有チャネル(PUSCH)通信の送信、物理アップリンク制御チャネル(PUCCH)通信の送信、サウンディング基準信号(SRS)の送信など)を送信するための電力制御に関連して、複数の電力制御ループで構成されてもよい。たとえば、UEは、所与のチャネルを使用し得る異なるタイプのサービス(たとえば、拡張モバイルブロードバンド(eMBB)サービス、超高信頼性低レイテンシ通信(URLLC)サービスなど)に関連付けられた異なるアップリンク通信に対して、所与のチャネルを使用し得る異なるビームに対して(たとえば、ネットワークとの通信に同時に使用される可能性があり、したがって、異なるチャネル条件を経験する可能性がある別個のアンテナアレイをUEが有するとき)など、異なる電力制御ループで構成されてもよい。
【００５９】
一般に、UE電力制御は、所与のチャネル上でアップリンク通信を送信することに関連して、UEが送信電力を(たとえば、ステップサイズごとに)増加すべきかまたは低減すべきかを示す、UEに提供された送信電力制御(TPC)コマンドに基づいて動作する。許可ベースのアップリンク通信の場合、TPCコマンドは、許可に関連付けられたダウンリンク制御情報(DCI)において搬送される。たとえば、許可ベースのPUSCH通信の場合、UEには、PUSCH通信のためにUEによって使用されるべきリソースのセットを識別するDCI、ならびにPUSCH通信を送信するための電力制御に関連付けられたTPCコマンドが提供される。
【００６０】
しかしながら、周期的に構成されたあるタイプのトラフィックに関連付けられたアップリンク通信(たとえば、半永続的スケジューリング(SPS)アップリンク通信、タイプ2構成済み許可通信、周期的なチャネル状態情報(CSI)報告、周期的なSRSなど)などの、いくつかのタイプのアップリンク通信は、そのような許可を使用しない。そのような場合、所与のアップリンク通信に対応する許可がないので、UEにはDCIが提供されず、したがって、TPCコマンドが提供されない。しかしながら、グループ電力制御DCIは、そのようなアップリンク通信のためのUE電力制御を実行するために使用されてもよい。
【００６１】
グループ電力制御DCIは、関連するDCIを有しないアップリンク通信(たとえば、周期的にまたは半永続的に構成されたトラフィックに関連付けられたアップリンク通信)を送信することに関連付けられた電力制御のためのTPCコマンドがUEに提供され得る情報を含む。
【００６２】
場合によっては、グループ電力制御DCIの巡回冗長検査(CRC)ビットが、グループ電力制御DCIが適用されるチャネルに関連付けられた無線ネットワーク一時識別子(RNTI)値によってスクランブルされてもよい。たとえば、基地局は、PUSCHに関連付けられたRNTI値(TPC-PUSCH-RNTI)、PUCCHに関連付けられたRNTI値(TPC-PUCCH-RNTI)、SRSに関連付けられたRNTI値(TPC-SRS-RNTI)などに基づいてCRCをスクランブルしてもよい。これらのRNTI値は、UEにシグナリングされる。ここで、DCIを復号するとき、UEはCRCをデスクランブルするためにRNTI値を適用し、どのCRCがスクランブルされたかに基づいてUEがRNTI値を適用するとき、UEはCRCが正しいと決定することができ、したがって、DCIが適用されるチャネルを識別することができる。
【００６３】
さらに、グループ電力制御DCIは、複数のTPCコマンドを含んでもよく、各TPCコマンドは、異なるUEに関連付けられてもよい。そのような場合、所与のUEには、UEに関連付けられたTPCコマンドを搬送するTPCフィールドが割り当てられる。ここで、TPCフィールドに関連付けられたTPCインデックスは、UEがそのUE用のTPCを識別することを可能にするために、UEにシグナリングされる。そのような場合、複数のUEは同じRNTI値で構成されてもよいが、(たとえば、複数のUEが同じグループ電力制御DCIから異なるTPCコマンドを得ることができるように)異なるTPCインデックスをシグナリングされることがある。
【００６４】
このようにして、UEは、グループ電力制御DCIが適用されるチャネル、ならびに、特定のUEに関連付けられたグループ電力制御DCIに含まれる複数のTPCコマンドのうちの1つのTPCコマンドを識別することができる。しかしながら、上記で説明したように、UEが所与のチャネルに対して複数の電力制御ループで構成され得るネットワークでは、UEは、TPCコマンドが適用されるべきである電力制御ループを識別することができない場合がある。
【００６５】
本明細書で説明するいくつかの態様は、UEがグループ電力制御DCIにおいて搬送されるTPCコマンドに関連付けられたループインデックスを決定することを可能にするための技法および装置を提供する。いくつかの態様では、ループインデックスは、TPCコマンドが適用されるべきである、複数の電力制御ループのうちの1つの電力制御ループを識別することができる。さらに、本明細書で説明する技法および装置は、グループ電力制御DCIの受信と、TPCコマンドが適用されるアップリンク通信の送信との間の最小の時間ギャップの定義を提供する。
【００６６】
図5Aおよび図5Bは、本開示の様々な態様による、グループ電力制御DCIにおいて搬送されるTPCコマンドに関連付けられたループインデックスを決定し、アップリンク通信を送信することに関連してTPCコマンドを適用する一例500を示す図である。
【００６７】
図5Aに参照番号505によって示すように、UE(たとえば、UE120)は、基地局(たとえば、基地局110)からグループ電力制御DCIを受信してもよい。いくつかの態様では、上記で説明したように、グループ電力制御DCIは、関連するDCIを有しないアップリンク通信(たとえば、SPSアップリンク通信、タイプ2構成済み許可通信、周期的なCSI報告、周期的なSRSなどの、周期的にまたは半永続的に構成されたトラフィックに関連付けられたアップリンク通信)を送信することに関連付けられた電力制御のためのTPCコマンドがUEに提供され得る情報を含んでもよい。
【００６８】
参照番号510によって示すように、UEは、グループ電力制御DCIに少なくとも部分的に基づいて、UEに関連付けられたTPCコマンドを識別してもよい。たとえば、UEは、それぞれのチャネルに各々が関連付けられた、1つまたは複数のRNTI値(たとえば、PUSCHに関連付けられたTPC-PUSCH-RNTI、PUCCHに関連付けられたTPC-PUCCH-RNTI、SRSに関連付けられたTPC-SRS-RNTIなど)で構成されてもよい。さらに、UEは、グループ電力制御DCI内の、UEに関連付けられたTPCコマンドのロケーションを識別するTPCインデックスを(たとえば、無線リソース制御(RRC)シグナリングを介して)シグナリングされることがある。ここで、上記で説明したように、UEは、(たとえば、1つまたは複数のRNTI値のうちの1つを使用してグループ電力制御DCIのCRCビットをデスクランブルすることに少なくとも部分的に基づいて)グループ電力制御DCIが適用されるチャネルを識別してもよく、(たとえば、TPCインデックスに少なくとも部分的に基づいて)UEに関連付けられたTPCコマンドを識別してもよい。
【００６９】
参照番号515によって示すように、UEは、TPCコマンドに対する、複数の電力制御ループのうちの1つの電力制御ループ(すなわち、TPCコマンドが適用されるべきである電力制御ループ)を識別する、TPCコマンドに関連付けられたループインデックスを決定してもよい。
【００７０】
いくつかの態様では、UEは、UEに関連付けられたRNTI値に少なくとも部分的に基づいて、ループインデックスを決定してもよい。たとえば、UEは、RNTI値の第1のセット(たとえば、偶数のRNTI値、値の第1の範囲内のRNTI値など)が第1のループインデックスに関連付けられることを示す情報と、RNTI値の第2のセット(たとえば、奇数のRNTI値、値の第2の範囲内のRNTI値など)が第2のループインデックスに関連付けられることを示す情報とで構成されてもよい。ここで、UEは、上記で説明したように、特定のRNTI値(たとえば、TPC-PUSCH-RNTI、TPC-PUCCH-RNTI、TPC-SRS-RNTIなど)に少なくとも部分的に基づいてTPCコマンドを識別してもよく、グループ電力制御DCIを正常に復号するために使用された特定のRNTI値に少なくとも部分的に基づいて(たとえば、特定のRNTI値が偶数のRNTI値であるかまたは奇数のRNTI値であるかを決定することによって、特定のRNTI値が値の第1の範囲内に入るかまたは値の第2の範囲内に入るかを決定することによって、など)ループインデックスを決定してもよい。
【００７１】
いくつかの態様では、UEは、(たとえば、同じチャネルに関連付けられた複数の電力制御ループがグループ電力制御を必要とするとき)同じチャネルに関連付けられた複数のRNTI値で構成されてもよく、上記で説明した方法と同様の方法で(たとえば、どのRNTI値によってグループ電力制御DCIの復号に成功したかに少なくとも部分的に基づいて)、チャネルに関連付けられた複数のRNTI値に少なくとも部分的に基づいてループインデックスを決定してもよい。
【００７２】
いくつかの態様では、UEは、ループインデックスがUEにシグナリングされることに少なくとも部分的に基づいて、ループインデックスを決定してもよい。いくつかの態様では、ループインデックスは、TPCインデックスとともにUEにシグナリングされてもよい。たとえば、基地局は、1つまたは複数のTPCインデックスと、1つまたは複数の対応するループインデックスとを、(たとえば、RRCシグナリングを介して)UEにシグナリングしてもよい。
【００７３】
いくつかの態様では、ループインデックスは、(たとえば、ループインデックス自体がUEにシグナリングされるとき)UEに明示的にシグナリングされてもよい。追加または代替として、ループインデックスは、UEに暗黙的にシグナリングされてもよい。たとえば、UEは、1つまたは複数の特定のTPCインデックス(たとえば、偶数のTPCインデックス、値の第1の範囲内のTPCインデックスなど)が第1のループインデックスに関連付けられることを示す情報と、TPCインデックスの第2のセット(たとえば、奇数のTPCインデックス、値の第2の範囲内のTPCインデックスなど)が第2のループインデックスに関連付けられることを示す情報とで構成されてもよい。ここで、UEは、特定の構成済みTPCインデックスに少なくとも部分的に基づいて(たとえば、特定のTPCインデックスが偶数の値であるかまたは奇数の値であるかを決定することによって、特定のTPCインデックス値が値の第1の範囲内に入るかまたは値の第2の範囲内に入るかを決定することによって、など)、ループインデックスを決定する。
【００７４】
いくつかの態様では、UEは、グループ電力制御DCIに含まれる1つまたは複数のビットに少なくとも部分的に基づいて、ループインデックスを決定してもよい。たとえば、グループ電力制御DCIは、グループ電力制御DCIに含まれる異なるTPCフィールドに各々が関連付けられた(各TPCフィールドがそれぞれのTPCコマンドを搬送する)、ビットのセットを含んでもよい。ここで、所与のTPCフィールドに関連付けられた所与のビットは、所与のTPCフィールドに関連付けられたループインデックスを識別することができる。言い換えれば、ビットは、いくつかの態様では、グループ電力制御DCIに含まれる単一のTPCフィールドに関連付けられたループインデックスを識別するために使用されてもよい。
【００７５】
別の例として、グループ電力制御DCIは、グループ電力制御DCIに含まれる各TPCフィールドに関連付けられたビットを含んでもよい。ここで、ビットは、DCIに含まれる各TPCフィールドに関連付けられたループインデックスを識別することができる。言い換えれば、ビットは、いくつかの態様では、グループ電力制御DCIに含まれる複数の(たとえば、すべての)TPCフィールドに関連付けられたループインデックスを識別するために使用されてもよい。
【００７６】
いくつかの態様では、UEは、TPCコマンドがUE上で構成された複数の電力制御ループの各々に適用されることを示す情報に少なくとも部分的に基づいて、ループインデックスを決定してもよい。いくつかの態様では、そのような情報は、(たとえば、RRCシグナリングを介して)基地局によってUEにシグナリングされてもよい。
【００７７】
図5Bに参照番号520および525によって示すように、UEは、TPCコマンドを、決定されたループインデックスに関連付けられた電力制御ループに適用してもよく、それに応じて(たとえば、TPCコマンドに従って制御される送信電力で)、アップリンク通信を送信してもよい。
【００７８】
いくつかの態様では、UEがグループ電力制御DCIを受信することと、UEが(アップリンク通信を送信することに関連して)TPCコマンドを適用することとの間の最小時間量(本明細書では時間ギャップと呼ばれる)は、UEに関連付けられた能力値に少なくとも部分的に基づいてもよい。能力値は、たとえば、アップリンク許可を受信することと、アップリンク許可に関連付けられたアップリンク通信を送信することとの間の、UEによって必要とされる最小時間量に関連付けられた値であってもよい(たとえば、アップリンク許可に少なくとも部分的に基づいて関連付けられたPUSCH通信またはSRSを送信することに関連付けられた能力値)。別の例として、能力値は、ダウンリンク通信を受信することと、対応する肯定応答(ACK)または否定応答(NACK)を送信することとの間の、UEによって必要とされる最小時間量に関連付けられてもよい(たとえば、ダウンリンク通信を受信した後にACK/NACKなどのPUCCH通信を送信することに関連付けられた能力値)。
【００７９】
追加または代替として、UEがグループ電力制御DCIを受信することと、UEがTPCコマンドを適用することとの間の最小の時間ギャップは、UEに関連付けられた遅延値に少なくとも部分的に基づいてもよい。遅延値は、たとえば、あり得るアップリンクスケジューリング遅延を示す遅延値のセットのうちの1つ(たとえば、PUSCH通信またはSRSを送信することに関連付けられたあり得るアップリンクスケジューリング遅延を示す、UEにシグナリングされた値のセットのうちの1つ)であってもよい。別の例として、遅延値は、ダウンリンク通信に関連付けられたACK/NACKを送信することに関連付けられたあり得る遅延を示す遅延値のセットのうちの1つであってもよい。
【００８０】
上記で示したように、図5Aおよび図5Bは例として与えられる。他の例が可能であり、図5Aおよび図5Bに関して説明したことと異なってもよい。
【００８１】
図6は、本開示の様々な態様による、たとえばUEによって実行される例示的なプロセス600を示す図である。例示的なプロセス600は、本明細書で説明するように、UE(たとえば、UE120)がTPCコマンドに関連付けられたループインデックスを決定する一例である。
【００８２】
図6に示すように、いくつかの態様では、プロセス600は、グループ電力制御DCIに少なくとも部分的に基づいて、UEに関連付けられたTPCコマンドを識別すること(ブロック610)を含んでもよい。たとえば、UEは、上記で説明したように、グループ電力制御DCIに少なくとも部分的に基づいて、UEに関連付けられたTPCコマンドを(たとえば、受信プロセッサ258、コントローラ/プロセッサ280、送信プロセッサ264などを使用して)識別してもよい。
【００８３】
図6に示すように、いくつかの態様では、プロセス600は、TPCコマンドに関連付けられたループインデックスを決定することであって、ループインデックスが、TPCコマンドに対する、複数の電力制御ループのうちの1つの電力制御ループを識別する、決定すること(ブロック620)を含んでもよい。たとえば、UEは、上記で説明したように、TPCコマンドに関連付けられたループインデックスを(たとえば、受信プロセッサ258、コントローラ/プロセッサ280、送信プロセッサ264などを使用して)決定することであって、ループインデックスが、TPCコマンドに対する、複数の電力制御ループのうちの1つの電力制御ループを識別する、決定することを行ってもよい。
【００８４】
プロセス600は、以下でおよび/または本明細書の他の場所で説明する1つもしくは複数の他のプロセスに関して説明する、任意の単一の態様または態様の任意の組合せなどの、追加の態様を含み得る。
【００８５】
いくつかの態様では、ループインデックスは、UEに関連付けられた無線ネットワーク一時識別子(RNTI)値に少なくとも部分的に基づいて決定される。いくつかの態様では、RNTI値は、物理アップリンク共有チャネル(PUSCH)送信に関連付けられる。いくつかの態様では、RNTI値は、物理アップリンク制御チャネル(PUCCH)送信に関連付けられる。いくつかの態様では、RNTI値は、サウンディング基準信号(SRS)送信に関連付けられる。いくつかの態様では、ループインデックスは、RNTI値が奇数のRNTI値であるかまたは偶数のRNTI値であるかに少なくとも部分的に基づいて決定される。いくつかの態様では、ループインデックスは、RNTI値が含まれる、値の複数の範囲のうちの値の1つの範囲に少なくとも部分的に基づいて決定される。
【００８６】
いくつかの態様では、ループインデックスは、ループインデックスがUEにシグナリングされることに少なくとも部分的に基づいて決定され、ループインデックスは、UEにシグナリングされる、TPCコマンドに関連付けられたTPCインデックスに関連付けられる。いくつかの態様では、ループインデックスおよびTPCインデックスは、無線リソース制御(RRC)シグナリングを介してUEにシグナリングされる。いくつかの態様では、ループインデックスは、TPCインデックスが奇数の値であるかまたは偶数の値であるかに少なくとも部分的に基づいて決定される。いくつかの態様では、ループインデックスは、TPCインデックスが含まれる、値の複数の範囲のうちの値の1つの範囲に少なくとも部分的に基づいて決定される。
【００８７】
いくつかの態様では、ループインデックスは、グループ電力制御DCIに含まれる単一のTPCフィールドに関連付けられた、グループ電力制御DCIに含まれるビットに少なくとも部分的に基づいて決定され、単一のTPCフィールドは、UEに関連付けられたTPCコマンドを含む。
【００８８】
いくつかの態様では、ループインデックスは、グループ電力制御DCIに含まれる複数のTPCフィールドに関連付けられた、グループ電力制御DCIに含まれるビットに少なくとも部分的に基づいて決定され、複数のTPCフィールドは、UEに関連付けられたTPCコマンドを含むTPCフィールドを含む。
【００８９】
いくつかの態様では、ループインデックスは、TPCコマンドが複数の電力制御ループの各々に適用されることを示す情報に少なくとも部分的に基づいて決定される。
【００９０】
いくつかの態様では、電力制御ループは、DCIを含まない半永続的アップリンクチャネルに関連して適用される。いくつかの態様では、半永続的アップリンクチャネルは、半永続的スケジューリング(SPS)アップリンク通信、タイプ2構成済み許可通信、周期的なチャネル状態情報(CSI)報告、または周期的なサウンディング基準信号(SRS)のうちの少なくとも1つを送信することに関連付けられる。
【００９１】
図6は、プロセス600の例示的なブロックを示すが、いくつかの態様では、プロセス600は、図6に示すものと比べて、追加のブロック、より少ないブロック、異なるブロック、または異なるように配置されたブロックを含んでもよい。追加または代替として、プロセス600のブロックのうちの2つ以上が並行して実行されてもよい。
【００９２】
図7は、本開示の様々な態様による、たとえばUEによって実行される例示的なプロセス700を示す図である。例示的なプロセス700は、UE(たとえば、UE120)がグループ電力制御DCIによって識別されたTPCコマンドを適用する一例である。
【００９３】
図7に示すように、いくつかの態様では、プロセス700は、グループ電力制御DCIを受信すること(ブロック710)を含んでもよい。たとえば、UEは、上記で説明したように、グループ電力制御DCIを(たとえば、アンテナ252、受信プロセッサ258、コントローラ/プロセッサ280などを使用して)受信してもよい。
【００９４】
図7に示すように、いくつかの態様では、プロセス700は、アップリンク通信を送信することに関連して、グループ電力制御DCIによって識別されたTPCコマンドを適用することであって、グループ電力制御DCIを受信することと、TPCコマンドを適用することとの間の時間ギャップが、UEに関連付けられた能力値、またはUEにシグナリングされた遅延値に少なくとも部分的に基づく、適用すること(ブロック720)を含んでもよい。たとえば、UEは、上記で説明したように、アップリンク通信を送信することに関連して、グループ電力制御DCIによって識別されたTPCコマンドを(たとえば、受信プロセッサ258、コントローラ/プロセッサ280、送信プロセッサ264などを使用して)適用することであって、グループ電力制御DCIを受信することと、TPCコマンドを適用することとの間の時間ギャップが、UEに関連付けられた能力値、またはUEにシグナリングされた遅延値に少なくとも部分的に基づく、適用することを行ってもよい。
【００９５】
プロセス700は、以下でおよび/または本明細書の他の場所で説明する1つもしくは複数の他のプロセスに関して説明する、任意の単一の態様または態様の任意の組合せなどの、追加の態様を含み得る。
【００９６】
いくつかの態様では、能力値は、アップリンク許可を受信することと、対応するアップリンク通信を送信することとの間の最小時間量に関連付けられる。
【００９７】
いくつかの態様では、遅延値は、あり得るアップリンクスケジューリング遅延を示す遅延値のセットのうちの1つである。
【００９８】
いくつかの態様では、能力値は、ダウンリンク送信を受信することと、対応する肯定応答(ACK)または否定応答(NACK)を送信することとの間の最小時間量に関連付けられる。
【００９９】
いくつかの態様では、遅延値は、肯定応答(ACK)または否定応答(NACK)を送信することに関連付けられたあり得る遅延を示す遅延値のセットのうちの1つである。
【０１００】
図7は、プロセス700の例示的なブロックを示すが、いくつかの態様では、プロセス700は、図7に示すものと比べて、追加のブロック、より少ないブロック、異なるブロック、または異なるように配置されたブロックを含んでもよい。追加または代替として、プロセス700のブロックのうちの2つ以上が並行して実行されてもよい。
【０１０１】
上記の開示は例示および説明を提供するものであり、網羅的なものでも、態様を開示された厳密な形態に限定するものでもない。変更形態および変形形態は、上記の開示を踏まえて可能であるか、または態様の実践から獲得され得る。
【０１０２】
本明細書で使用する構成要素という用語は、ハードウェア、ファームウェア、またはハードウェアとソフトウェアの組合せとして広く解釈されるものとする。本明細書で使用するプロセッサは、ハードウェア、ファームウェア、またはハードウェアとソフトウェアの組合せにおいて実装される。
【０１０３】
いくつかの態様について、しきい値に関して本明細書で説明する。本明細書で使用する「しきい値を満たすこと」は、値がしきい値よりも大きいこと、しきい値以上であること、しきい値未満であること、しきい値以下であること、しきい値に等しいこと、しきい値に等しくないことなどを指すことがある。
【０１０４】
本明細書で説明するシステムおよび/または方法は、異なる形態のハードウェア、ファームウェア、またはハードウェアとソフトウェアの組合せにおいて実装され得ることは明らかであろう。これらのシステムおよび/または方法を実装するために使用される実際の専用の制御ハードウェアまたはソフトウェアコードは、態様を限定するものではない。したがって、システムおよび/または方法の動作および挙動について、特定のソフトウェアコードの参照なしに本明細書で説明した。ソフトウェアおよびハードウェアは、本明細書での説明に少なくとも部分的に基づいてシステムおよび/または方法を実装するように設計され得ることを理解されたい。
【０１０５】
特徴の特定の組合せが特許請求の範囲において列挙され、かつ/または本明細書で開示されても、これらの組合せは、可能な態様の開示を限定するものではない。実際には、これらの特徴の多くが、特許請求の範囲において具体的に列挙されない方法で、および/または本明細書で開示されない方法で組み合わされてもよい。以下に記載する各従属クレームは、1つのみのクレームに直接依存し得るが、可能な態様の開示は、クレームセットの中のあらゆる他のクレームと組み合わせた各従属クレームを含む。項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０６】
本明細書で使用する要素、行為、または命令はいずれも、そのようなものとして明示的に説明されない限り、重要または不可欠であるものと解釈されるべきではない。また、本明細書で使用する冠詞「a」および「an」は、1つまたは複数の項目を含むものとし、「1つまたは複数の」と互換的に使用されてもよい。さらに、本明細書で使用する「セット」および「グループ」という用語は、1つまたは複数の項目(たとえば、関連する項目、関連しない項目、関連する項目と関連しない項目の組合せなど)を含むものとし、「1つまたは複数の」と互換的に使用されてもよい。1つのみの項目が意図される場合、「1つの」という用語または同様の言葉が使用される。また、本明細書で使用する「有する(has)」、「有する(have)」、「有する(having)」などの用語は、オープンエンド用語であるものとする。さらに、「に基づいて」という句は、別段に明記されていない限り、「に少なくとも部分的に基づいて」を意味するものとする。
【符号の説明】
【０１０７】
100  ネットワーク、ワイヤレスネットワーク、アクセスネットワーク
102a  マクロセル
102b  ピコセル
102c  フェムトセル
110  BS、基地局
110a  BS、マクロBS
110b  BS
110c  BS
110d  BS、中継局
120、120a、120c、120d  UE
130  ネットワークコントローラ
200  設計
212  データソース
220  送信プロセッサ
230  送信(TX)多入力多出力(MIMO)プロセッサ、TX MIMOプロセッサ
232  変調器、復調器、DEMOD、MOD
232a〜232t  変調器(MOD)、変調器
234、234a〜234t  アンテナ
236  MIMO検出器
238  受信プロセッサ
239  データシンク
240  コントローラ/プロセッサ
242  メモリ
244  通信ユニット
246  スケジューラ
252、252a〜252r  アンテナ
254  復調器、DEMOD、MOD
254a〜254r  復調器(DEMOD)、復調器、変調器
256  MIMO検出器
258  受信プロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
300  フレーム構造
410  サブフレームフォーマット
600  プロセス
700  プロセス
【図１】
2021520108.tif 000003
【図２】
2021520108.tif 000004
【図３Ａ】
2021520108.tif 000005
【図３Ｂ】
2021520108.tif 000006
【図４】
2021520108.tif 000007
【図５Ａ】
2021520108.tif 000008
【図５Ｂ】
2021520108.tif 000009
【図６】
2021520108.tif 000010
【図７】
2021520108.tif 000011
【国際調査報告】
2021520108.tif 000012
2021520108.tif 000013